(57)【要約】【課題】患者が姿勢を維持し易い中性子捕捉療法用寝台を提供する。【解決手段】中性子捕捉療法用寝台３は、患者Ｓが載置される載置部４２に加えて、フレーム４３Ａ,４３Ｂ、及びフレーム４３Ａ，４３Ｂに取り付けられた押さえ部４７を備えている。フレーム４３Ａ，４３Ｂに取り付けられる押さえ部４７は、患者Ｓの後頭部、顎、背中、及び腰の少なくとも何れかを押さえることができる。従って、押さえ部４７は、載置部４２に載置された患者Ｓの姿勢に応じ、後頭部、顎、背中、及び腰の少なくとも何れかを押さえることができる。このように、単に患者Ｓを載置部４２に載置するのみならず、体の部位のうち、姿勢維持の際の負担を低減できる部位を押さえることで、患者Ｓが姿勢を維持し易くなる。【選択図】図４
2020092725.tif 000002
【特許請求の範囲】
【請求項１】
中性子線が照射される患者を載置する中性子捕捉療法用寝台であって、
土台上に設けられ、前記患者が載置される載置部と、
前記土台上に設けられるフレームと、
前記フレームに取り付けられ、前記患者の後頭部、顎、背中、及び腰の少なくとも何れかを押さえる押さえ部と、を備える、中性子捕捉療法用寝台。
【請求項２】
前記押さえ部を移動可能に支持するアームを更に備える、請求項１に記載の中性子捕捉療法用寝台。
【請求項３】
一対の前記フレームが設けられ、
一対の前記フレームの間には垂直壁が設けられ、
前記垂直壁には貫通孔が形成されている、請求項１又は２に記載の中性子捕捉療法用寝台。
【発明の詳細な説明】
【技術分野】
【０００１】
本発明は、中性子捕捉療法用寝台に関する。
【背景技術】
【０００２】
放射線を用いた治療方法として、中性子線を照射してがん細胞を死滅させる中性子捕捉療法であるホウ素中性子捕捉療法（ＢＮＣＴ：Ｂｏｒｏｎ  Ｎｅｕｔｒｏｎ  Ｃａｐｔｕｒｅ  Ｔｈｅｒａｐｙ）が知られている。ホウ素中性子捕捉療法では、がん細胞に予め取り込ませておいたホウ素に中性子線を照射し、これにより生じる重荷電粒子の飛散によってがん細胞を選択的に破壊する。このような中性子捕捉療法では、中性子捕捉療法用寝台に載置した患者に中性子線を照射するのが一般的である。このような中性子捕捉療法に用いられる中性子捕捉療法用寝台として、特許文献１に記載されたものが知られている。
【先行技術文献】
【特許文献】
【０００３】
【特許文献１】特開２０１６−０８３２８８号公報
【発明の概要】
【発明が解決しようとする課題】
【０００４】
中性子捕捉療法においては、他の放射線治療と比較して、患者に対する放射線（中性子捕捉療法の場合は中性子線）の照射時間が長い。具体的には、他の放射線治療では放射線の照射時間が数分程度であるのに対し、中性子捕捉療法では中性子線の照射時間が１時間程度である。従って、中性子捕捉療法用寝台に載置された患者の姿勢によっては、患者が無理な姿勢を長時間継続する必要性が生じる。従って、患者が姿勢を維持し易い中性子捕捉療法用寝台が要請されていた。
【０００５】
そこで本発明は、患者が姿勢を維持し易い中性子捕捉療法用寝台を提供することを目的とする。
【課題を解決するための手段】
【０００６】
上記課題を解決するため、本発明に係る中性子捕捉療法用寝台は、中性子線が照射される患者を載置する中性子捕捉療法用寝台であって、土台上に設けられ、患者が載置される載置部と、土台上に設けられるフレームと、フレームに取り付けられ、患者の後頭部、顎、背中、及び腰の少なくとも何れかを押さえる押さえ部と、を備える。
【０００７】
本発明に係る中性子捕捉療法用寝台は、患者が載置される載置部に加えて、フレーム、及びフレームに取り付けられた押さえ部を備えている。フレームに取り付けられる押さえ部は、患者の後頭部、顎、背中、及び腰の少なくとも何れかを押さえることができる。従って、押さえ部は、載置部に載置された患者の姿勢に応じ、後頭部、顎、背中、及び腰の少なくとも何れかを押さえることができる。このように、単に患者を載置部に載置するのみならず、体の部位のうち、姿勢維持の際の負担を低減できる部位を押さえることで、患者が姿勢を維持し易くなる。
【０００８】
中性子捕捉療法用寝台は、押さえ部を移動可能に支持するアームを更に備えてよい。これにより、患者の姿勢に合わせて、アームで押さえ部の位置を細かく調整することができる。
【０００９】
中性子捕捉療法用寝台において、一対のフレームが設けられ、一対のフレームの間には垂直壁が設けられ、垂直壁には貫通孔が形成されていてよい。フレームの間に設けられた垂直壁を照射室の壁に沿って配置させることで、患者を中性子線の出射口付近に近づけることができる。このとき垂直壁に形成された貫通孔と出射口の位置を合わせることにより、当該貫通孔を介して患者の患部付近を出射口に近接させることができる。
【発明の効果】
【００１０】
本発明によれば、患者が姿勢を維持し易い中性子捕捉療法用寝台を提供できる。
【図面の簡単な説明】
【００１１】
【図１】本実施形態の中性子捕捉療法用寝台を備えた中性子捕捉療法システムの構成を示す図である。
【図２】図１の中性子捕捉療法システムにおける中性子線照射部近傍を示す図である。
【図３】中性子捕捉療法用寝台をＹ軸方向の負側から見た図である。
【図４】図３に示すＩＶ−ＩＶ線に沿った断面図である。
【図５】中性子捕捉療法用寝台をＹ軸方向の正側から見た図である。
【図６】後頭部の押さえ部をＺ軸方向の正側から見た図である。
【図７】後頭部の押さえ部をＺ軸方向の正側から見た図である。
【図８】図３とは患者の姿勢が異なる場合の中性子捕捉療法用寝台を示す図である。
【図９】図４とは患者の姿勢が異なる場合の中性子捕捉療法用寝台を示す図である。
【発明を実施するための形態】
【００１２】
以下、添付図面を参照しながら本発明に係る中性子捕捉療法用寝台について説明する。なお、各図において同一部分又は相当部分には同一符号を付し、重複する説明は省略する。
【００１３】
まず、図１及び図２を用いて、本実施形態に係る中性子捕捉療法用寝台を備えた中性子捕捉療法システムの概要を説明する。図１及び図２に示すように、ホウ素中性子捕捉療法を用いたがん治療を行う中性子捕捉療法システム１は、ホウ素（１０Ｂ）を含む薬剤が投与された患者Ｓ（被照射体）のホウ素が集積した部位に中性子線を照射してがん治療を行うシステムである。中性子捕捉療法システム１は、中性子捕捉療法用寝台３に拘束された患者Ｓに中性子線Ｎを照射して患者Ｓのがん治療を行う照射室２を有している。
【００１４】
患者Ｓを中性子捕捉療法用寝台３に拘束する等の準備作業は、照射室２外の準備室（不図示）で実施され、患者Ｓが拘束された中性子捕捉療法用寝台３が準備室から照射室２に移動される。その後、中性子捕捉療法用寝台３は、照射室２の出射口の前の所定の位置に設置される。中性子捕捉療法用寝台３の構成の詳細については後述する。また、中性子捕捉療法システム１は、患者Ｓが載置される中性子捕捉療法用寝台３と、治療用の中性子線Ｎを発生させる中性子線発生部１０と、照射室２内で中性子捕捉療法用寝台３に載置されている患者Ｓに対して中性子線Ｎを照射する中性子線照射部２０と、を備えている。なお、照射室２は遮蔽壁Ｗに覆われているが、患者や作業者等が通過するために通路及び扉４５が設けられている。
【００１５】
中性子線発生部１０は、荷電粒子を加速して荷電粒子線Ｌを出射する加速器１１と、加速器１１が出射した荷電粒子線Ｌを輸送するビーム輸送路１２と、荷電粒子線Ｌを走査してターゲット８に対する荷電粒子線Ｌの照射位置の制御を行う荷電粒子線走査部１３と、荷電粒子線Ｌが照射されることで核反応を起こして中性子線Ｎを発生させるターゲット８と、荷電粒子線Ｌの電流を測定する電流モニタ１６と、を備えている。加速器１１及びビーム輸送路１２は、略長方形状を成す荷電粒子線生成室１４の室内に配置されており、この荷電粒子線生成室１４は、コンクリート製の遮蔽壁Ｗで覆われた空間である。なお、荷電粒子線生成室１４には、メンテナンスのための作業者が通過するための通路及び扉４９が設けられている。なお、荷電粒子線生成室１４は略長方形状に限定されず、他の形状であってもよい。例えば、加速器からターゲットまでの経路がＬ字状の場合には、荷電粒子線生成室１４もＬ字状にしてよい。また、荷電粒子線走査部１３は例えば荷電粒子線Ｌのターゲット８に対する照射位置を制御し、電流モニタ１６はターゲット８に照射される荷電粒子線Ｌの電流を測定する。
【００１６】
加速器１１は、陽子等の荷電粒子を加速して陽子線等の荷電粒子線Ｌを生成するものである。本実施形態では、加速器１１としてサイクロトロンが採用されている。なお、加速器１１として、サイクロトロンに代えて、他の円形加速器（例えば、シンクロトロン）、線形加速器、又は静電加速器等の他の加速器を用いてもよい。
【００１７】
ビーム輸送路１２の一端（上流側の端部）は、加速器１１に接続されている。ビーム輸送路１２は、荷電粒子線Ｌを調整するビーム調整部１５を備えている。ビーム調整部１５は、荷電粒子線Ｌの軸を調整する水平型ステアリング電磁石及び水平垂直型ステアリング電磁石と、荷電粒子線Ｌの発散を抑制する四重極電磁石と、荷電粒子線Ｌを整形する四方スリット等を有している。なお、ビーム輸送路１２は荷電粒子線Ｌを輸送する機能を有していればよく、ビーム調整部１５は無くてもよい。
【００１８】
ビーム輸送路１２によって輸送された荷電粒子線Ｌは、荷電粒子線走査部１３によって照射位置を制御されてターゲット８に照射される。なお、荷電粒子線走査部１３を省略して、常にターゲット８の同じ箇所に荷電粒子線Ｌを照射するようにしてもよい。
【００１９】
ターゲット８は、荷電粒子線Ｌが照射されることによって中性子線Ｎを発生させる。ターゲット８は、例えば、ベリリウム（Ｂｅ）、リチウム（Ｌｉ）、タンタル（Ｔａ）又はタングステン（Ｗ）で構成されており、板状を成している。ただし、ターゲットは板状に限らず、液状等であってもよい。ターゲット８が発生させた中性子線Ｎは、中性子線照射部２０によって照射室２内の患者Ｓに向かって照射される。
【００２０】
中性子線照射部２０は、ターゲット８から出射された中性子線Ｎを減速させる減速材２１と、中性子線Ｎ及びガンマ線等の放射線が外部に放出されないように遮蔽する遮蔽体２２とを備えており、この減速材２１と遮蔽体２２とでモデレータが構成されている。
【００２１】
減速材２１は例えば異なる複数の材料から成る積層構造とされており、減速材２１の材料は荷電粒子線Ｌのエネルギー等の諸条件によって適宜選択される。具体的には、例えば加速器１１からの出力が３０ＭｅＶの陽子線でありターゲット８としてベリリウムターゲットを用いる場合には、減速材２１の材料は鉛、鉄、アルミニウム又はフッ化カルシウムとすることができる。
【００２２】
遮蔽体２２は、減速材２１を囲むように設けられており、中性子線Ｎ、及び中性子線Ｎの発生に伴って生じたガンマ線等の放射線が遮蔽体２２の外部に放出されないように遮蔽する機能を有する。遮蔽体２２は、荷電粒子線生成室１４と照射室２とを隔てる壁Ｗ１に少なくともその一部が埋め込まれていてもよく、埋め込まれていなくてもよい。また、照射室２と遮蔽体２２との間には、照射室２の側壁面の一部を成す壁体２３が設けられている。壁体２３には、中性子線Ｎの出力口となるコリメータ取付部２３ａが設けられている。このコリメータ取付部２３ａには、中性子線Ｎの照射野を規定するためのコリメータ３１が固定されている。なお、コリメータ取付部２３ａを壁体２３に設けずに、後述する中性子捕捉療法用寝台３にコリメータ３１を取り付けてもよい。
【００２３】
以上の中性子線照射部２０では、荷電粒子線Ｌがターゲット８に照射され、これに伴いターゲット８が中性子線Ｎを発生させる。ターゲット８によって発生した中性子線Ｎは、減速材２１内を通過している際に減速され、減速材２１から出射された中性子線Ｎは、コリメータ３１を通過して中性子捕捉療法用寝台３に載置されている患者Ｓに対して照射される。ここで、中性子線Ｎとしては、比較的エネルギーが低い熱中性子線又は熱外中性子線を用いることができる。
【００２４】
なお、構造を説明するために、図２に示すように、中性子捕捉療法システム１に対してＸＹＺ座標を設定する。Ｙ軸方向は中性子線Ｎの照射方向（ターゲット８からコリメータ取付部２３ａへ向かう方向）を示す。また、Ｙ軸方向のうち、中性子線Ｎの照射方向における下流側を「負」とし、上流側を「正」とする。Ｘ軸方向は地面に対して水平な面内のＹ軸に対して垂直な方向を示す。当該Ｘ軸方向の一方側を「負」とし、他方側を「正」とする。Ｚ軸方向は地面に対して垂直な方向を示す。Ｚ軸方向のうち、上側を「正」とし、下側を「負」とする。
【００２５】
次に、図３〜図５を参照して、本実施形態に係る中性子捕捉療法用寝台３の詳細な構成について説明する。図３は、中性子捕捉療法用寝台をＹ軸方向の正側から見た図である。図４は、図３に示すＩＶ−ＩＶ線に沿った断面図である。図５は、中性子捕捉療法用寝台をＹ軸方向の負側から見た図である。なお、図３及び図４では、中性子捕捉療法用寝台３に載置された患者Ｓが示されている。図５では、中性子捕捉療法用寝台３の構成を説明するために、患者Ｓを省略している。また、図５では、構造を説明するために、フレームを省略している。
【００２６】
図３〜５に示すように、中性子捕捉療法用寝台３は、土台４１と、載置部４２と、一対のフレーム４３Ａ，４３Ｂと、ブラケット４４と、アーム４６と、押さえ部４７と、を備える。
【００２７】
土台４１は、照射室２の床面Ｆ上に配置される部材であり、中性子捕捉療法用寝台３の各構成要素を下方から支持するためのものである。土台４１は、扁平な直方体状をなしており、上面４１ａに各構成要素が設けられる。土台４１の下面には、車輪（不図示）などの走行手段が設けられていてよい。土台４１は、当該走行手段によって、床面Ｆ上を移動することができる。
【００２８】
載置部４２は、土台４１上に設けられ、患者Ｓが載置される部材である。載置部４２は、患者Ｓが腰掛けるための椅子５１と、椅子５１を支持する支持部５２と、椅子５１及び支持部５２をＹ軸方向へ移動させるためのガイド部５３と、を備えている。
【００２９】
ガイド部５３は、土台４１の上面４１ａにおける、Ｘ軸方向の中央位置に配置されている。ガイド部５３は、当該位置にて、Ｙ軸方向に沿って延在している。ガイド部５３は、土台４１のＹ軸方向の正側の端部付近まで延びている。ガイド部５３のＹ軸方向の負側の端部は、土台４１のＹ軸方向の負側の端部付近まで延びている。支持部５２は、ガイド部５３の上面に配置されている。支持部５２のＹ軸方向における長さは、ガイド部５３よりも短い。支持部５２及びガイド部５３のＸ軸方向における幅は、椅子５１に座った状態の患者Ｓが、跨ぐことができる程度の幅に設定される。支持部５２は、ガイド部５３によってガイドされることにより、Ｙ軸方向に往復移動することができる。
【００３０】
支持部５２の上面側には、椅子５１が設けられる。椅子５１は、Ｚ軸周りに回転可能である。例えば、図４に示すように患者Ｓの体がＹ軸方向の正側を向いている状態を基準とした場合、患者Ｓの体がＸ軸方向の正側へ向いているときは、椅子５１をＸ軸方向の正側へ９０°回転させることができる（図８参照）。あるいは、患者Ｓの体がＹ軸方向の負側へ向いているときは、椅子５１をＹ軸方向の負側へ１８０°回転させることができる（図９参照）。
【００３１】
一対のフレーム４３Ａ，４３Ｂは、土台４１上に設けられ、Ｚ軸方向、すなわち上下方向に延びている。具体的には、フレーム４３Ａ，４３Ｂは、土台４１の上面４１ａのうち、Ｙ方向の正側の端部に設けられている。また、フレーム４３Ａは、土台４１の上面４１ａのうち、Ｘ軸方向の負側の端部に配置されている。フレーム４３Ｂは、土台４１の上面４１ａのうち、Ｘ軸方向の正側の端部に配置されている。フレーム４３Ａ，４３Ｂは、Ｘ軸方向において互いに対向する側面４３Ａａ，４３Ｂａを有している。
【００３２】
一対のフレーム４３Ａ，４３Ｂの間には、垂直壁５６が設けられる。なお、垂直壁５６は、照射室２の壁体２３に接する、又は近接するように配置される。また、垂直壁５６には、貫通孔５７が形成される。貫通孔５７は壁体２３のうち、コリメータ３１の開口部に対応する位置に形成される。すなわち、コリメータ３１の中心軸線と、貫通孔５７の中心軸線が一致するように形成される。
【００３３】
また、フレーム４３Ａの上端部とフレーム４３Ｂの上端部との間には、Ｘ軸方向に延びて各上端部同士を連結する上部フレーム６２が設けられる。フレーム４３Ａ，４３Ｂの上端部には、Ｙ軸方向に延びる上部フレーム６１が設けられている。また、上部フレーム６１のＹ軸方向の負側の端部から、下方へ向けて延びる後部フレーム６３が形成される。当該後部フレーム６３には、例えば手摺などが適宜設けられてもよい。
【００３４】
ブラケット４４は、フレーム４３Ａ，４３Ｂの側面４３Ａａ，４３Ｂａに設けられる。ブラケット４４は、当該側面４３Ａａ，４３Ｂａに沿ってＺ軸方向、すなわち上下にスライド可能である。また、ブラケット４４は、アーム４６を取り外し可能に連結するための機構が設けられている。なお、アーム４６は、押さえ部４７を取り外し可能に連結するためのブラケットも有している。
【００３５】
具体的には、ブラケット４４として、フレーム４３Ａ，４３Ｂに対して、上から順に、ブラケット７１Ａ，７１Ｂと、ブラケット７２Ａ，７２Ｂと、ブラケット７３Ａ，７３Ｂと、ブラケット７４Ａ，７４Ｂと、が設けられている。なお、フレーム４３Ａ，４３Ｂの側面４３Ａａ，４３Ｂａは、Ｙ軸方向に二つ分のブラケット４４を並べることが可能である。具体的には、ブラケット７１Ａ，７１Ｂ及びブラケット７２Ａ，７２Ａは、側面４３Ａａ，４３ＢａのうちのＹ軸方向の負側に設けられ、ブラケット７３Ａ，７３Ｂ及びブラケット７４Ａ，７４Ｂは、側面４３Ａａ，４３ＢａのうちのＹ軸方向の正側に設けられる（図６参照）。これにより、ブラケット７１Ａ，７１Ｂ，７２Ａ，７２Ｂと、ブラケット７３Ａ，７３Ｂ，７４Ａ，７４Ｂとは、上下方向に移動させたときに互いに干渉しないので、上下方向における位置関係を変更することができる。すなわち、図４及び図５では、ブラケット７１Ａ，７１Ｂ，７２Ａ，７２Ｂが、ブラケット７３Ａ，７３Ｂ，７４Ａ，７４Ｂよりも上側に配置されているが、下側に配置されるように移動させてもよい。
【００３６】
押さえ部４７は、アーム４６を介してフレーム４３Ａ，４３Ｂに取り付けられ、患者Ｓの後頭部、顎、背中、及び腰の少なくとも何れかを押さえる部材である。本実施形態では、押さえ部４７として、後頭部を押さえる押さえ部８１と、顎を押さえる押さえ部８２と、肘を押さえる押さえ部８３と、背中又は腰を押さえる押さえ部８４と、が設けられている。各押さえ部８１，８３，８４は、Ｘ軸方向に延びる樹脂材などによって構成される。顎を押さえる押さえ部８２は、顎の部分を載置する樹脂材などによって構成される。各押さえ部８１，８２，８３，８４は、接触面にて患者Ｓと接触する。なお、本実施形態における「押さえ」とは体の部位を支持できればよく、積極的に押さえ付けている必要はない。例えば、顎を押さえる押さえ部８２は、顎を支持できていればよく、積極的に顎に圧力を付与していなくともよい。
【００３７】
アーム４６は、押さえ部４７を移動可能に支持する部材である。アーム４６の一端部はブラケット４４に取り付けられ、アーム４６の他端部には押さえ部４７が取り付けられる。また、アーム４６の一端部は、ブラケット４４に対する取付角度を調整可能である。アーム４６の他端部は、押さえ部４７の取付角度を調整可能である。これによって、アームは、各取付角度を調整することで、押さえ部４７を移動させて、患者Ｓに対する押さえ部４７の位置及び向きを調整することができる。また、アーム４６自体に伸縮機構、曲げ機構などを設けてもよい。また、アーム４６として、フレキシブルアームやバンドなど、変形自在な部材を適用してもよい。
【００３８】
本実施形態では、アーム４６として、後頭部を押さえる押さえ部８１を支持するアーム９１Ａ，９１Ｂと、顎を押さえる押さえ部８２を支持するアーム９２と、肘を押さえる押さえ部８３を支持するアーム９３Ａ，９３Ｂと、背中又は腰を押さえる押さえ部８４を支持するアーム９４Ａ，９４Ｂと、が設けられている。アーム９１Ａ，９１Ｂの一端部はブラケット７１Ａ，７１Ｂに取り付けられる。アーム９１Ａ，９１Ｂの他端部には後頭部を押さえる押さえ部８１の端部が取り付けられる。アーム９２の一端部はブラケット７２Ａ，７２Ｂの何れかに取り付けられる。アーム９２の他端部には顎を押さえる押さえ部８２が取り付けられる。アーム９３Ａ，９３Ｂの一端部はブラケット７３Ａ，７３Ｂに取り付けられる。アーム９３Ａ，９３Ｂの他端部には肘を押さえる押さえ部８３の端部が取り付けられる。アーム９４Ａ，９４Ｂの一端部はブラケット７４Ａ，７４Ｂに取り付けられる。アーム９４Ａ，９４Ｂの他端部には背中又は腰を押さえる押さえ部８４の端部が取り付けられる。なお、各アームの形状、長さ、屈曲態様は、取り付ける押さえ部の形状や大きさに従って、それぞれ異なっているが、図に示すものに特に限定されるものではない。
【００３９】
次に、患者Ｓの姿勢に応じた押さえ部４７の位置などについて説明する。
【００４０】
例えば、図３及び図４に示すように、患者Ｓが椅子５１に座って体及び頭をＹ軸方向の正負側へ向けている場合について説明する。この状態では、患者Ｓの顔は、垂直壁５６の貫通孔５７の手前、すなわち中性子線Ｎの出射口たるコリメータ３１の開口部分の手前に配置される。従って、患者の体も垂直壁５６に近接した位置で前かがみになった状態で維持される。このとき、載置部４２では、患者Ｓの体格に合わせて、椅子５１のＹ軸方向の位置、及び高さが調整される。
【００４１】
顎を押さえる押さえ部８２は、貫通孔５７の下側の縁部付近に配置され、顎を押さえることで、患者Ｓの頭の位置決めを行う（図６も合わせて参照）。このとき、顎を押さえる押さえ部８２が所望の位置に配置されるように、ブラケット７２Ｂの上下方向における位置、及びアーム９２の長さや角度が調整される。後頭部を押さえる押さえ部８１は、貫通孔５７に対応する位置であって、当該貫通孔５７から患者Ｓの頭のサイズに合わせてＹ軸方向の負側に離間している。これにより、押さえ部８１は患者Ｓの後頭部を押さえ、患者Ｓの頭が各方向へ移動することを防止する。このとき、後頭部を押さえる押さえ部８１が所望の位置に配置されるように、ブラケット７１Ａ，７１Ｂの上下方向における位置、及びアーム９１の長さや角度が調整される。
【００４２】
ここで、図６を参照して、後頭部を押さえる押さえ部８１についてより詳細に説明する。図６に示すように、押さえ部８１は、アーム９１Ａ，９１Ｂに支持され、Ｘ軸方向に延びるレール部材８１ａと、レール部材８１ａに沿ってＸ軸方向へ移動可能なブラケット８１ｂと、後頭部を押さえるパッド８１ｃと、ブラケット８１ｂに接続されてパッド８１ｃの位置調整を行うアーム８１ｄと、を備える。また、ブラケット８１ｂ、パッド８１ｃ及びアーム８１ｄの組は、一対設けられる。これにより、Ｘ軸方向における正側及び負側の両方から、患者Ｓの後頭部を挟み込むように押さえることができる。なお、押さえ部８１の構成は、図６に示すものに限られず、例えば、レール部材８１ａに更にＹ軸方向へ延びるレール部材を設け、当該レール部材に沿ってパッド８１ｃを移動させてもよい。
【００４３】
図３及び図４に戻り、肘を押さえる押さえ部８３は、貫通孔５７から所定距離、下側に離間した位置に配置されている。また、押さえ部８３の接触面が上側を向いている。これにより、押さえ部８３は患者Ｓの肘を押さえ、患者Ｓが体重を預けることを可能とする。また、患者Ｓは、肘が押さえ部８３で押さえられることで、前かがみになったときの体重を押さえ部に預けることができる。このとき、肘を押さえる押さえ部８３が所望の位置に配置されるように、ブラケット７３Ａ，７３Ｂの上下方向における位置、及びアーム９３Ａ，９３Ｂの長さや角度が調整される。
【００４４】
背中又は腰を押さえる押さえ部８４（ここでは腰を押さえている）は、椅子５１から患者Ｓの体格に合わせて上方へ離間した位置に配置されている。また、前かがみになっている患者Ｓの腰の屈曲態様に合わせて、接触面の角度が調整されている。これにより、押さえ部８４は患者Ｓの腰を押さえ、患者Ｓの体が各方向へ移動することを防止する。このとき、腰を押さえる押さえ部８４が所望の位置に配置されるように、ブラケット７４Ａ，７４Ｂの上下方向における位置、及びアーム９４Ａ，９４Ｂの長さや角度が調整される。なお、患者Ｓが椅子５１に座った後に、ブラケット７４Ａ，７４Ｂと押さえ部８４とをアーム９４Ａ，９４Ｂで接続する。このとき、アーム９４Ａ，９４Ｂに変えてバンドなどを用いてもよい。
【００４５】
例えば、図８に示すように、患者Ｓが椅子５１に座って体及び顔をＸ軸方向の正側へ向けている場合について説明する。この状態では、患者Ｓの側頭部は、垂直壁５６の貫通孔５７の手前、すなわち中性子線Ｎの出射口たるコリメータ３１の開口部分の手前に配置される。従って、患者の体もＸ軸方向を向いた状態で、垂直壁５６に向けて体全体を傾けるようにした状態で維持される。このとき、載置部４２では、椅子５１の向きがＸ軸方向の正側へ向けられると共に、Ｙ軸方向の位置、及び高さが調整される。当該状態では、患者Ｓの姿勢に合わせて、顎を押さえる押さえ部８２、後頭部を押さえる押さえ部８１、及び肘を押さえる押さえ部８３の位置が調整される。なお、腰を押さえる押さえ部８４は取り外される。なお、何れかの押さえ部を取り外す場合は、アームごとブラケットから外してもよく、アームをブラケットに残してもよく、アーム及びブラケットをフレームから外してもよい。
【００４６】
また、図７に示すように、患者Ｓの顔がＸ軸方向の正側を向いている。従って、一対のパッド８１ｃは、患者Ｓの側頭部付近を押さえる。また、顎の押さえ部８２の位置も、微調整される。なお、患者Ｓの顔は、袋状の部材９５で覆われることで固定されてもよい。具体的には、袋状の部材９５で頭全体及び貫通孔５７を覆い、袋状の部材９５の縁部を貫通孔５７付近の垂直壁５６に固定する。この場合、袋状の部材９５の外から、押さえ部８２で患者Sの顎を押さえてよい。
【００４７】
なお、顔の向きを図７に示すように、Ｘ軸方向の正側とし、体の向きを図４に示すように、Ｙ軸方向の正側としてよい。この場合は、患者Ｓの頭部に対しては図７の押さえ構造を適用し、体に対しては図４の押さえ構造を適用してよい。
【００４８】
例えば、図９に示すように、患者Ｓが椅子５１に座って体及び顔をＹ軸方向の負側へ向けている場合について説明する。この状態では、患者Ｓの後頭部は、垂直壁５６の貫通孔５７の手前、すなわち中性子線Ｎの出射口たるコリメータ３１の開口部分の手前に配置される。従って、患者Ｓの上体は、椅子５１に腰掛けながら全体として背中側にもたれるような姿勢となる。このとき、載置部４２では、椅子５１の向きがＹ軸方向の負側へ向けられると共に、Ｙ軸方向の位置、及び高さが調整される。また、患者Ｓの脚を載せるための、支持台９６が用いられてよい。支持台９６は、ガイド部５３の側面に設けられたアーム９７で移動可能に支持される。当該状態では、患者Ｓの姿勢に合わせて、後頭部を押さえる押さえ部８１、及び背中を押さえる押さえ部８４の位置が調整される。なお、顎を押さえる押さえ部８１及び肘を押さえる押さえ部８３は取り外される。
【００４９】
次に、中性子捕捉療法用寝台３の作用・効果について説明する。
【００５０】
本実施形態に係る中性子捕捉療法用寝台３は、患者Ｓが載置される載置部４２に加えて、フレーム４３Ａ,４３Ｂ、及びフレーム４３Ａ，４３Ｂに取り付けられた押さえ部４７を備えている。フレーム４３Ａ，４３Ｂに取り付けられる押さえ部４７は、患者Ｓの後頭部、顎、背中、及び腰の少なくとも何れかを押さえることができる。従って、押さえ部４７は、載置部４２に載置された患者Ｓの姿勢に応じ、後頭部、顎、背中、及び腰の少なくとも何れかを押さえることができる。このように、単に患者Ｓを載置部４２に載置するのみならず、体の部位のうち、姿勢維持の際の負担を低減できる部位を押さえることで、患者Ｓが姿勢を維持し易くなる。
【００５１】
中性子捕捉療法用寝台３は、押さえ部４７を移動可能に支持するアーム４６を更に備えている。これにより、患者Ｓの姿勢に合わせて、アーム４６で押さえ部４７の位置を細かく調整することができる。
【００５２】
中性子捕捉療法用寝台３において、一対のフレーム４３Ａ，４３Ｂが設けられ、一対のフレーム４３Ａ，４３Ｂの間には垂直壁５６が設けられ、垂直壁５６には貫通孔５７が形成されている。フレーム４３Ａ，４３Ｂの間に設けられた垂直壁５６を照射室２の壁体２３に沿って配置させることで、患者Ｓを中性子線Ｎの出射口であるコリメータ３１付近に近づけることができる。このとき垂直壁５６に形成された貫通孔５７と出射口であるコリメータ３１の位置を合わせることにより、当該貫通孔５７を介して患者Ｓの患部付近を出射口であるコリメータ３１に近接させることができる。
【００５３】
以上、本発明の実施形態について説明したが、本実施形態に係る中性子捕捉療法用寝台は上記に限定されず、種々の変更を行うことができる。
【００５４】
例えば、上述の実施形態に係る中性子捕捉療法用寝台は、複数の押さえ部を備えていた。しかし、中性子捕捉療法用寝台は、患者の後頭部、顎、背中、及び腰の少なくとも何れかを押さえることができる押さえ部を一つだけ有していてもよい。
【００５５】
また、上述の実施形態における各押さえ部及びアームの構成は一例に過ぎず、患者の後頭部、顎、背中、及び腰を押さえて姿勢維持ができる限り、構成は適宜変更してよい。また、押さえ部は、フレームに対して移動可能であったが、移動可能でなくともよい。
【符号の説明】
【００５６】
１…中性子捕捉療法システム、３…中性子捕捉療法用寝台、４１…土台、４２…載置部、４３Ａ，４３Ｂ…フレーム、４６…アーム、４７…押さえ部、５６…垂直壁、５７…貫通孔、Ｓ…患者、Ｎ…中性子線。
【図１】
2020092725.tif 000003
【図２】
2020092725.tif 000004
【図３】
2020092725.tif 000005
【図４】
2020092725.tif 000006
【図５】
2020092725.tif 000007
【図６】
2020092725.tif 000008
【図７】
2020092725.tif 000009
【図８】
2020092725.tif 000010
【図９】
2020092725.tif 000011